(57)【要約】【課題】カラム反転駆動はドレイン線の電位変動が比較的小さいものではあるが、ＲＧＢ時分割方式で、市松画像を表示する場合、画素書込み時のドレイン線変動によって表示装置上から電界ノイズが発生する。【解決手段】表示装置は、中間電位生成回路と、第１のバッファと、第１のバッファに接続するようにされる第１の端子と、第１の端子と接続される第１、第２および第３のスイッチ回路と、第１のスイッチ回路に接続される第１のドレイン線と、第２のスイッチ回路に接続される第２のドレイン線と、第３のスイッチ回路に接続される第３のドレイン線と、を有する。中間電位生成回路は、第１、第２および第３のドレイン線が中間電位よりも低い電圧から中間電位よりも高い電圧、または中間電位よりも高い電圧から中間電位よりも低い電圧に遷移するときに、第１の端子に中間電位を出力するようにされる。【選択図】図４Ａ
2015049437.tif 000002
【特許請求の範囲】
【請求項１】
中間電位生成回路と、
第１のバッファと、
前記第１のバッファに接続するようにされる第１の端子と、
前記第１の端子と接続される第１、第２および第３のスイッチ回路と、
前記第１のスイッチ回路に接続される第１のドレイン線と、
前記第２のスイッチ回路に接続される第２のドレイン線と、
前記第３のスイッチ回路に接続される第３のドレイン線と、
を有し、
前記中間電位生成回路は、前記第１、第２および第３のドレイン線が中間電位よりも低い電圧から中間電位よりも高い電圧、または中間電位よりも高い電圧から中間電位よりも低い電圧に遷移するときに、前記第１の端子に中間電位を出力するようにされる表示装置。
【請求項２】
請求項１の表示装置において、
前記中間電位生成回路は、現在のラインの画像データを保持する第１の記憶装置と、現在よりも１ライン前の画像データを保持する第２の記憶装置とを有し、前記第１の記憶装置の内容と前記第２の記憶装置の内容を比較することにより、前記中間電位を決定するようにされる。
【請求項３】
請求項２の表示装置において、
前記中間電位生成回路は、前記第１の記憶装置に保持されるデータのＭＳＢと前記第２の記憶装置に保持されるデータのＭＳＢを比較することにより、前記中間電位を決定するようにされる。
【請求項４】
請求項１の表示装置は、さらに、
第２のバッファと、
前記第１および第２のバッファに接続するようにされる第２の端子と、
前記第２の端子と接続される第４、第５および第６のスイッチ回路と、
前記第４のスイッチ回路に接続される第４のドレイン線と、
前記第５のスイッチ回路に接続される第５のドレイン線と、
前記第６のスイッチ回路に接続される第６のドレイン線と、
を有し、
前記第１の端子は、前記第２のバッファに接続するようにされ、
前記中間電位生成回路は、前記第４、第５および第６のドレイン線の中間電位よりも低い電圧から中間電位よりも高い電圧、または中間電位よりも高い電圧から中間電位よりも低い電圧に遷移するときに、前記第１および第２の端子に中間電位を出力するようにされる表示装置。
【請求項５】
請求項４の表示装置において、
前記第４のドレイン線は、前記第１のドレイン線に隣接して配置するようにされ、
前記第２のドレイン線は、前記第４のドレイン線に隣接して配置するようにされ、
前記第５のドレイン線は、前記第２のドレイン線に隣接して配置するようにされ、
前記第３のドレイン線は、前記第５のドレイン線に隣接して配置するようにされ、
前記第６のドレイン線は、前記第３のドレイン線に隣接して配置するようにされ、
互いに隣接して配置されるドレイン線の信号極性が反対になるように、前記第１、第２、第３、第４、第５および第６のドレイン線を駆動するようにされる。
【請求項６】
請求項４の表示装置において、
前記第２のドレイン線は、前記第１のドレイン線に隣接して配置するようにされ、
前記第３のドレイン線は、前記第２のドレイン線に隣接して配置するようにされ、
前記第４のドレイン線は、前記第３のドレイン線に隣接して配置するようにされ、
前記第５のドレイン線は、前記第４のドレイン線に隣接して配置するようにされ、
前記第６のドレイン線は、前記第５のドレイン線に隣接して配置するようにされ、
互いに隣接して配置されるドレイン線の信号極性が反対になるように、前記第１、第２、第３、第４、第５および第６のドレイン線を駆動するようにされる。
【請求項７】
表示領域と、
ＴＦＴで構成される時分割スイッチ回路と
ドライバＩＣと、
を具備し、
前記表示領域は、
第１のドレイン線と、
前記第１のドレイン線に隣接して配置される第２のドレイン線と、
前記第２のドレイン線に隣接して配置される第３のドレイン線と、
前記第３のドレイン線に隣接して配置される第４のドレイン線と、
前記第４のドレイン線に隣接して配置される第５のドレイン線と、
前記第５のドレイン線に隣接して配置される第６のドレイン線と、
を有し、
前記時分割スイッチ回路は、
前記第１のドレイン線に接続される第１のスイッチ回路と、
前記第２のドレイン線に接続される第２のスイッチ回路と、
前記第３のドレイン線に接続される第３のスイッチ回路と、
前記第４のドレイン線に接続される第４のスイッチ回路と、
前記第５のドレイン線に接続される第５のスイッチ回路と、
前記第６のドレイン線に接続される第６のスイッチ回路と、
を有し、
前記ドライバＩＣは、
前記第１、第３および第５のスイッチ回路に接続される第１の端子と、
前記第２、第４および第６のスイッチ回路に接続される第２の端子と、
前記第１および第２の端子に接続するようにされる第１のバッファと、
前記第１および第２の端子に接続するようにされる第２のバッファと、
中間電位発生回路と、
を有し、
前記ドライバＩＣは、互いに隣接して配置されるドレイン線の信号極性が反対になるように、前記第１、第２、第３、第４、第５および第６のドレイン線を駆動するようにされ、
前記中間電位生成回路は、入力画像データに応じ前記第１、第２、第３、第４、第５および第６のドレイン線が中間電位よりも低い電圧から中間電位よりも高い電圧、または中間電位よりも高い電圧から中間電位よりも低い電圧に遷移するときに、前記第１および第２の端子に中間電位を出力するようにされる表示装置。
【請求項８】
請求項７の表示装置において、
前記中間電位生成回路は、現在のラインの画像データを保持する第１の記憶装置と、現在よりも１ライン前の画像データを保持する第２の記憶装置とを有し、前記第１の記憶装置の内容と前記第２の記憶装置の内容を比較することにより、前記中間電位を決定するようにされる。
【請求項９】
請求項８の表示装置において、
前記中間電位生成回路は、前記第１の記憶装置に保持されたデータのＭＳＢと前記第２の記憶装置に保持されたデータのＭＳＢを比較することにより、前記中間電位を決定するようにされる。
【請求項１０】
請求項９の表示装置において、
表示領域は、さらに、
前記第１のドレイン線に接続される赤色用画素と、
前記第２のドレイン線に接続される緑色用画素と、
前記第３のドレイン線に接続される青色用画素と、
前記第４のドレイン線に接続される赤色用画素と、
前記第５のドレイン線に接続される緑色用画素と、
前記第６のドレイン線に接続される青色用画素と、
を有するようにされる。
【請求項１１】
表示領域と、
ＴＦＴで構成される時分割スイッチ回路と
ドライバＩＣと、
を具備し、
前記表示領域は、
第１のドレイン線と、
前記第１のドレイン線に隣接して配置される第２のドレイン線と、
前記第２のドレイン線に隣接して配置される第３のドレイン線と、
前記第３のドレイン線に隣接して配置される第４のドレイン線と、
前記第４のドレイン線に隣接して配置される第５のドレイン線と、
前記第５のドレイン線に隣接して配置される第６のドレイン線と、
を有し、
前記時分割スイッチ回路は、
前記第１のドレイン線に接続される第１のスイッチ回路と、
前記第２のドレイン線に接続される第２のスイッチ回路と、
前記第３のドレイン線に接続される第３のスイッチ回路と、
前記第４のドレイン線に接続される第４のスイッチ回路と、
前記第５のドレイン線に接続される第５のスイッチ回路と、
前記第６のドレイン線に接続される第６のスイッチ回路と、
を有し、
前記ドライバＩＣは、
前記第１、第２および第３のスイッチ回路に接続される第１の端子と、
前記第４、第５および第６のスイッチ回路に接続される第２の端子と、
前記第１および第２の端子に接続するようにされる第１のバッファと、
前記第１および第２の端子に接続するようにされる第２のバッファと、
中間電位発生回路と、
を有し、
前記ドライバＩＣは、互いに隣接して配置されるドレイン線の信号極性が反対になるように、前記第１、第２、第３、第４、第５および第６のドレイン線を駆動するようにされ、
前記中間電位生成回路は、入力画像データに応じ前記第１、第２、第３、第４、第５および第６のドレイン線が中間電位よりも低い電圧から中間電位よりも高い電圧、または中間電位よりも高い電圧から中間電位よりも低い電圧に遷移するときに、前記第１および第２の端子に中間電位を出力するようにされる表示装置。
【請求項１２】
請求項１１の表示装置において、
前記中間電位生成回路は、現在のラインの画像データを保持する第１の記憶装置と、現在よりも１ライン前の画像データを保持する第２の記憶装置とを有し、前記第１の記憶装置の内容と前記第２の記憶装置の内容を比較することにより、前記中間電位を決定するようにされる。
【請求項１３】
請求項１２の表示装置において、
前記中間電位生成回路は、前記第１の記憶装置に保持されたデータのＭＳＢと前記第２の記憶装置に保持されたデータのＭＳＢを比較することにより、前記中間電位を決定するようにされる。
【請求項１４】
請求項１２の表示装置において、
表示領域は、さらに、
前記第１のドレイン線に接続される赤色用画素と、
前記第２のドレイン線に接続される緑色用画素と、
前記第３のドレイン線に接続される青色用画素と、
前記第４のドレイン線に接続される赤色用画素と、
前記第５のドレイン線に接続される緑色用画素と、
前記第６のドレイン線に接続される青色用画素と、
を有するようにされる。
【発明の詳細な説明】
【技術分野】
【０００１】
本開示は、表示装置に関し、例えばＲＧＢ時分割駆動される表示装置に適用可能である。
【背景技術】
【０００２】
低温ポリシリコン薄膜トランジスタ（ＬＴＰＳ−ＴＦＴ）を用いて周辺回路と液晶表示部を同一基板上に形成して、高解像度な液晶表示装置を実現するが可能となっている。しかし、高解像度、高精細な液晶表示装置を実現する場合、周辺回路、特に信号回路のクロック周波数は数十ＭＨｚと高くなる。しかし、ＬＴＰＳ−ＴＦＴを用いた周辺回路の動作周波数は、約数ＭＨｚ〜約１０ＭＨｚ程度と低いため、周辺回路を液晶表示部の周りに形成した高解像度な液晶表示装置の実現は困難になる。
【０００３】
そこで、ＬＴＰＳ−ＴＦＴを用いた高解像度、高精細な液晶表示装置を実現する方法として、例えば、液晶表示部と同一基板上に設けた時分割スイッチと、ドライバＩＣとを用いたＲ（赤）、Ｇ（緑）、Ｂ（青）に対応した時分割駆動（ＲＧＢ時分割駆動）方式が提案されている（特許文献１）。また、画質向上と低消費電力化のためカラム反転駆動方式が提案されている（特許文献１）。
【先行技術文献】
【特許文献】
【０００４】
【特許文献１】特開２０００−２７５６１１号公報
【発明の概要】
【発明が解決しようとする課題】
【０００５】
カラム反転駆動はドレイン線の電位変動が比較的小さいものではあるが、ＲＧＢ時分割方式で、市松画像を表示する場合、画素書込み時のドレイン線変動によって表示装置上から電界ノイズが発生する。
【０００６】
その他の課題と新規な特徴は、本開示の記述および添付図面から明らかになるであろう。
【課題を解決するための手段】
【０００７】
本開示のうち、代表的なものの概要を簡単に説明すれば、下記のとおりである。
すなわち、表示装置は、画素書込み時にドレイン線が中間電位を経由するようにされる。
【発明の効果】
【０００８】
上記表示装置によれば、電界ノイズのレベルを低減することができる。
【図面の簡単な説明】
【０００９】
【図１】実施例に係る表示装置の構成を示す図である。
【図２】実施例に係るＲＧＢ−ＳＷ回路の構成を示す図である。
【図３Ａ】ドット市松画像を示す図である。
【図３Ｂ】ピクセル市松画像を示す図である。
【図３Ｃ】比較例１に係る表示装置に示す図である。
【図３Ｄ】図３Ｃのタイミングを示す図である。
【図４Ａ】実施例１に係る表示装置に示す図である。
【図４Ｂ】実施例１に係る表示装置がピクセル市松画像を駆動する場合のタイミング図である。
【図４Ｃ】実施例１に係る表示装置がドット市松画像を駆動する場合のタイミング図である。
【図５Ａ】変形例１に係る表示装置に示す図である。
【図５Ｂ】変形例１に係る表示装置がピクセル市松画像を駆動する場合のタイミング図である。
【図５Ｃ】変形例１に係る表示装置がドット市松画像を駆動する場合のタイミング図である。
【図６Ａ】実施例２に係る表示装置に示す図である。
【図６Ｂ】実施例２に係る表示装置がピクセル市松画像を駆動する場合のタイミング図である。
【図６Ｃ】実施例１に係る表示装置がドット市松画像を駆動する場合のタイミング図である。
【図７Ａ】変形例２に係る表示装置に示す図である。
【図７Ｂ】変形例２に係る表示装置がピクセル市松画像を駆動する場合のタイミング図である。
【図７Ｃ】変形例２に係る表示装置がドット市松画像を駆動する場合のタイミング図である。
【図８】実施例１に係るドライバＩＣのブロック図である。
【図９】帰線期間前後で発生する電界ノイズを説明するための図である。
【図１０】帰線期間前後で発生する電界ノイズを低減した様子を示す図である。
【発明を実施するための形態】
【００１０】
実施の形態の概要を説明すれば、下記のとおりである。
（１）表示装置（１１）は、中間電位生成回路（９１）と、第１のバッファ（１５１）と、第１のバッファ（１５１）に接続するようにされる第１の端子（Ｔ１、Ｔ２）と、第１の端子（Ｔ１、Ｔ２）と接続される第１、第２および第３のスイッチ回路（１４１、１４２、１４３、１４５、１４６、１４７）と、第１のスイッチ回路（１４１、１４５）に接続される第１のドレイン線（ＤＲ１、ＤＲ２）と、第２のスイッチ回路（１４２）に接続される第２のドレイン線（ＤＧ１、ＤＧ２）と、第３のスイッチ回路（１４３、１４７）に接続される第３のドレイン線（ＤＢ１、ＤＢ２）と、を有する。中間電位生成回路（９１）は、第１、第２および第３のドレイン線（ＤＲ１、ＤＲ２、ＤＧ１、ＤＧ２、ＤＢ１、ＤＢ２）が中間電位よりも低い電圧から中間電位よりも高い電圧、または中間電位よりも高い電圧から中間電位よりも低い電圧に遷移するときに、第１の端子（Ｔ１、Ｔ２）に中間電位を出力するようにされる。
（２）上記（１）の表示装置において、中間電位生成回路（９１）は、現在のラインの画像データを保持する第１の記憶装置（９４）と、現在よりも１ライン前の画像データを保持する第２の記憶装置（９３）とを有し、第１の記憶装置（９４）の内容と第２の記憶装置（９３）の内容を比較することにより、中間電位を決定するようにされる。
（３）上記（２）の表示装置において、中間電位生成回路（９１）は、第１の記憶装置（９４）に保持されるデータのＭＳＢと第２の記憶装置（９３）に保持されるデータのＭＳＢを比較することにより、中間電位を決定するようにされる。
【００１１】
実施の形態の表示装置によれば、画素書込み時にドレイン線が中間電位を経由するため、ドレイン線のノイズ変動を分散させることになり電界ノイズのレベルが低減することができる。
【００１２】
以下、実施例および変形例について、図面を用いて説明する。ただし、以下の説明において、同一構成要素には同一符号を付し繰り返しの説明は省略する。
【実施例１】
【００１３】
図１は実施例１に係る表示装置の構成を示す図である。表示装置１１は、基板上に、表示領域１２とゲートスキャン回路１３Ｒ、１３Ｌと、ＲＧＢ−ＳＷ回路１４と、ドライバＩＣ１５を有する。表示領域１２は、ゲート線ＧＬとドレイン線ＤＬと画素ＰＥとを有する。画素ＰＥは、薄膜トランジスタ（ＴＦＴ）１６とソース電極とコモン電極で形成される容量１７を有する。ゲートスキャン回路１３Ｒ，１３ＬとＲＧＢ−ＳＷ回路１４は、ＴＦＴで形成される。ドライバＩＣ１５は基板上にＣＯＧ（Chip On Glass）実装される。ドライバＩＣ１５は、ＣＭＯＳ回路技術で１つのシリコン半導体基板上に形成される。
【００１４】
図２は実施例１に係るＲＧＢ−ＳＷ回路の構成を示す図である。ＲＧＢ−ＳＷ回路１４は、単チャネル（例えばｎチャネル型）のＴＦＴで形成されるスイッチ回路ＳＷＲ、ＳＥＧ、ＳＷＢで構成される。スイッチ回路ＳＷＲｎ−１、ＳＷＲｎ、ＳＷＲｎ＋１、ＳＷＲｎ＋２のそれぞれは、制御信号線ＡＳＷ１の信号によって、赤（Ｒ）画素（Ｒｎ−１、Ｒｎ、Ｒｎ＋１、Ｒｎ＋２）に接続されるドレイン線ＤＬ（ＤＲｎ−１、ＤＲｎ、ＤＲｎ＋１、ＤＲｎ＋２）に階調電圧をドライバＩＣ１５から伝達する。スイッチ回路ＳＷＧｎ−１、ＳＷＧｎ、ＳＷＧｎ＋１、ＳＷＧｎ＋２のそれぞれは、制御信号線ＡＳＷ２の信号によって、緑（Ｇ）画素（Ｇｎ−１、Ｇｎ、Ｇｎ＋１、Ｇｎ＋２）に接続されるドレイン線ＤＬ（ＤＧｎ−１、ＤＧｎ、ＤＧｎ＋１、ＤＧｎ＋２）に階調電圧をドライバＩＣ１５から伝達する。スイッチ回路ＳＷＢｎ−１、ＳＷＢｎ、ＳＷＢｎ＋１、ＳＷＢｎ＋２のそれぞれは、制御信号線ＡＳＷ３の信号によって、青（Ｂ）画素（Ｂｎ−１、Ｂｎ、Ｂｎ＋１、Ｂｎ＋２）に接続されるドレイン線ＤＬ（ＤＢｎ−１、ＤＢｎ、ＤＢｎ＋１、ＤＢｎ＋２）に階調電圧をドライバＩＣ１５から伝達する。ドレイン線ＤＬは正負交互に極性が反転するようにドライバＩＣ１５の出力端子と接続される。図２では正極性を＋、負極性を−で表している。図３Ｄに示されるように、制御信号線ＡＳＷ１、ＡＳＷ２、ＡＳＷ３は、１水平期間（１ラインの書込み中）に時間をずらして（時分割）に駆動されて、ドレイン線を時分割駆動する。ＲＧＢ−ＳＷ回路は時分割スイッチ回路である。
【００１５】
＜電界ノイズ発生原理＞
図３Ａ、図３Ｂ、図３Ｃ、図３Ｄはドレイン線変動による電界ノイズ発生原理を説明する図である。図３Ａは、ドット市松画像を示す図である。図３Ｂは、ピクセル市松画像を示す図である。図３Ｃは、比較例に係る表示装置を示す図である。図３Ｄは、図３Ｃのタイミング図である。
【００１６】
図３Ａに示すように、Ｎライン目は、画素Ｒ１が正極性（＋）の白電圧、画素Ｇ１が負極性（−）の黒電圧、画素Ｂ１が正極性の白電圧、画素Ｒ２が負極性の黒電圧、画素Ｇ２が正極性の白電圧、画素Ｂ２が負極性の黒電圧である。Ｎ＋１ライン目は、画素Ｒ１が正極性の黒電圧、画素Ｇ１が負極性の白電圧、画素Ｂ１が正極性の黒電圧、画素Ｒ２が負極性の白電圧、画素Ｇ２が正極性の黒電圧、画素Ｂ２が負極性の白電圧である。ここで、白電圧とは階調電圧の絶対値が最大のときの電圧で、黒電圧とは階調電圧の絶対値が最小のときの電圧である。駆動方式はサブピクセルカラム反転駆動（１ドレイン線ごとに極性が反転する）とする。ドット市松画像はドレイン線変動のワーストパターンである。
【００１７】
図３Ｂに示すように、Ｎライン目は、画素Ｒ１が正極性（＋）の白電圧、画素Ｇ１が負極性（−）の白電圧、画素Ｂ１が正極性の白電圧、画素Ｒ２が負極性の黒電圧、画素Ｇ２が正極性の黒電圧、画素Ｂ２が負極性の黒電圧である。Ｎ＋１ライン目は、画素Ｒ１が正極性の黒電圧、画素Ｇ１が負極性の黒電圧、画素Ｂ１が正極性の黒電圧、画素Ｒ２が負極性の白電圧、画素Ｇ２が正極性の白電圧、画素Ｂ２が負極性の白電圧である。駆動方式はサブピクセルカラム反転駆動（１ドレイン線ごとに極性が反転する）とする。
【００１８】
比較例１に係る表示装置１１Ｒは、ＲＧ−ＳＷ回路１４とドライバＩＣ１５Ｒを有する。図３Ｃの画素は、ドット市松画像を表しており、画素のアルファベットの大文字が白電圧、アルファベットの小文字が黒電圧を表している。例えば「Ｒ１」は白電圧、「ｒ１」は黒電圧を表している。ＲＧＢ−ＳＷ回路１４は、スイッチ回路１４１、１４２、１４３、１４５、１４６、１４７を有する。スイッチ回路１４１、１４３、１４６は、ドライバＩＣ１５Ｒの端子Ｔ１からの信号（Ｓ１）を伝達し、スイッチ回路１４２、１４５、１４７は、ドライバＩＣ１５Ｒの端子Ｔ２からの信号（Ｓ２）を伝達する。スイッチ回路１４１、１４２、１４３、１４５、１４６、１４７は、図２で説明したように単チャネル型のＴＦＴで構成されている。ドライバＩＣ１５Ｒは、正極性の信号を出力する出力バッファ１５１と負極性の信号を出力する出力バッファ１５２とを有する。出力バッファ１５１の出力は、スイッチ回路ＳＷ＋１、ＳＷ＋２を介して、それぞれ端子Ｔ１、Ｔ２に送出される。出力バッファ１５２の出力は、スイッチ回路ＳＷ−１、ＳＷ−２を介して、それぞれ端子Ｔ１、Ｔ２に送出される。図３Ｃにおいて、◎の記号で表されたスイッチ回路は正極性の信号を伝達するスイッチ回路を表し、○の中に×印が記されている記号で表されたスイッチ回路は負極性の信号を伝達するスイッチ回路を表している。
【００１９】
図３Ｄに示すように、ドレイン線ＤＲ１は１ライン目にＲＧＢ−ＳＷ回路１４の制御信号線ＡＳＷ１の信号の立ち上がり時に正の黒電圧から白電圧に遷移する。このときドレイン線ＤＧ１,ＤＢ１,ＤＧ２,ＤＢ２は変動しないがドレイン線ＤＲ２は負の白電圧から黒電圧に変動する。この結果、制御信号線ＡＳＷ１の信号の立ち上がり時にはドレイン線ＤＲ１,ＤＲ２が共に正の方向に変動することになり正の電界ノイズが発生する。同様に制御信号線ＡＳＷ２の信号の立ち上がりタイミングでドレイン線ＤＧ１,ＤＧ２により、制御信号線ＡＳＷ３の信号の立ち上がりタイミングでドレイン線ＤＢ１,ＤＢ２により正の電界ノイズが発生する。ドレイン線ＤＲ２は２ライン目にＲＧＢ−ＳＷ回路１４の制御信号線ＡＳＷ１の信号の立ち上がり時に負の黒電圧から白電圧に遷移する。このときドレイン線ＤＧ１,ＤＢ１,ＤＧ２,ＤＢ２は変動しないがドレイン線ＤＲ１は正の白電圧から黒電圧に変動する。この結果、制御信号線ＡＳＷ１の信号の立ち上がり時にはドレイン線ＤＲ１,ＤＲ２が共に負の方向に変動することになり負の電界ノイズが発生する。同様に制御信号線ＡＳＷ２の信号の立ち上がりタイミングでドレイン線ＤＧ１,ＤＧ２により、制御信号線ＡＳＷ３の信号の立ち上がりタイミングでドレイン線ＤＢ１,ＤＢ２により負の電界ノイズが発生する。
【００２０】
＜サブピクセルカラム反転駆動＞
電界ノイズを低減するため、一回のドレイン線変動幅を低減する。すなわち、ドレイン線を一度中間電位にする。本実施例はサブピクセルカラム反転駆動の例であり、以下、詳細に説明する。
【００２１】
図４Ａ、図４Ｂ、図４Ｃは、実施例１に係る駆動方法及び効果を示す図である。図４Ａは、実施例１に係る表示装置を示す図である。表示装置１１はＲＧＢ−ＳＷ回路１４とドライバＩＣ１５を有する。ＲＧＢ−ＳＷ回路１４は、スイッチ回路１４１（ＳＷＲｎ−１）、１４２（ＳＷＧｎ−１）、１４３（ＳＷＢｎ−１）、１４５（ＳＷＲｎ）、１４６（ＳＷＧｎ）、１４７（ＳＷＢｎ）を有する。スイッチ回路１４１、１４３、１４６は、ドライバＩＣ１５Ｒの端子Ｔ１からの信号（Ｓ１）を伝達し、スイッチ回路１４２、１４５、１４７は、ドライバＩＣ１５Ｒの端子Ｔ２からの信号（Ｓ２）を伝達する。スイッチ回路１４１、１４２、１４３、１４５、１４６、１４７は、図２で説明したように単チャネル型のＴＦＴで構成されている。ドライバＩＣ１５は、正極性の信号を出力する出力バッファ１５１と負極性の信号を出力する出力バッファ１５２とを有する。出力バッファ１５１の出力は、スイッチ回路ＳＷ＋１、ＳＷ＋２を介して、それぞれ端子Ｔ１、Ｔ２に送出される。出力バッファ１５２の出力は、スイッチ回路ＳＷ−１、ＳＷ−２を介して、それぞれ端子Ｔ１、Ｔ２に送出される。
【００２２】
ピクセル市松画像およびドット市松画像のいずれも、ＲＧＢ−ＳＷ回路１４が存在するため、ドライバ出力の信号（Ｓ１）は、Ｒ１＋⇒Ｇ２＋⇒Ｂ１＋・・・と変化し、ドライバ出力の信号（Ｓ２）は、Ｒ２−⇒Ｇ１−⇒Ｂ２−・・・と変化する。図４Ｂにピクセル市松、図４Ｃにドット市松時のドライバ出力波形及び電界ノイズ波形を示す。
【００２３】
図３Ｂに示されるピクセル市松画像では、Ｎライン目のＲ１は正極性（＋）の白電圧、Ｇ２は正極性（＋）の黒電圧、Ｂ１は正極性（＋）の白電圧である。Ｎ＋１ライン目のＲ１は正極性（＋）の黒電圧、Ｇ２は正極性（＋）の白電圧、Ｂ１は正極性（＋）の黒電圧である。Ｎライン目のＲ２は負極性（−）の白電圧、Ｇ１は負極性（−）の黒電圧、Ｂ２は負極性（−）の白電圧である。Ｎ＋１ライン目のＲ２は負極性（−）の黒電圧、Ｇ１は負極性（−）の白電圧、Ｂ２は負極性（−）の黒電圧である。したがって、ピクセル市松画像では、ドライバ出力の信号（Ｓ１、Ｓ２）は図４Ｂに示されるように変化する。
【００２４】
図３Ａに示されるドットピクセル市松画像では、Ｎライン目のＲ１は正極性（＋）の白電圧、Ｇ２は正極性（＋）の白電圧、Ｂ１は正極性（＋）の白電圧である。Ｎ＋１ライン目のＲ１は正極性（＋）の黒電圧、Ｇ２は正極性（＋）の黒電圧、Ｂ１は正極性（＋）の黒電圧である。Ｎライン目のＲ２は負極性（−）の黒電圧、Ｇ１は負極性（−）の黒電圧、Ｂ２は負極性（−）の黒電圧である。Ｎ＋１ライン目のＲ２は負極性（−）の白電圧、Ｇ１は負極性（−）の白電圧、Ｂ２は負極性（−）の白電圧である。したがって、ピクセル市松画像では、ドライバ出力の信号（Ｓ１、Ｓ２）は図４Ｃに示されるように変化する。
【００２５】
図４Ｂおよび図４Ｃに示されるように電界ノイズは、Ｒ、Ｇ、Ｂ切り替え時のタイミングで各ドレイン線がドライバ出力の信号（Ｓ１、Ｓ２）に応じて変動することにより生じる。
【００２６】
画像データの変化によりドレイン線がＬｏｗレベルからＨｉｇｈレベル、およびＨｉｇｈレベルからＬｏｗレベルに変化するときに、ドライバ出力の信号（Ｓ１、Ｓ２）が中間電位を経由するようにする。図４Ｂおよび図４Ｃに示されるように実施例１の電界ノイズは比較例１に比べて低減することができる。ここで、図４Ｂおよび図４Ｃにおいて破線で示される比較例１とは、ドライバ出力の信号（Ｓ１、Ｓ２）が中間電位を経由しない場合である。
【００２７】
より具体的には、電界ノイズを低減するために、Ｎ−１ライン目のＲ１＋とＮライン目のＲ１＋間で中間電位を経由するようにする。これを実現させるためにはＮ−1ライン目のＲ１＋の画像データを保持し、Ｎライン目のＲ１＋の画像データと比較し中間電位を決定する。この操作を全ての画像データで行う。但しこの方法では、１ライン分のメモリと比較演算回路が必要となるため、回路規模が大きくなる。このため、後述するように、前ライン（Ｎ−１ライン目）と現ライン（Ｎライン目）の画像データの最上位ビット（ＭＳＢ）のみを比較し、ＭＳＢが変化したときのみ特定の中間電位を出力することにより回路規模の低減が可能となる。
【００２８】
ＲＧＢ画素書込み時にドレイン線が中間電位を経由するため、ドレイン線のノイズ変動を分散させることになり電界ノイズのレベルが低減することができる。
【００２９】
＜中間電位生成回路＞
次にドライバＩＣにおける中間電位の生成について以下説明する。
図８は実施例１に係るドライバＩＣの回路構成図である。ドライバＩＣ１５は中間電位生成回路９１と階調電圧生成回路９２と出力バッファ１５１とスイッチ回路ＳＷ＋１と端子Ｔ１を有する。中間電位生成回路９１は、レジスタ９３とレジスタ９４とデータ比較回路９５とスイッチ回路９７とインバータ回路９６とを有する。レジスタ９３はＮ−１ライン目の画像データのＭＳＢデータを格納するようにされる。レジスタ９４はＮライン目の画像データのＭＳＢデータを格納するようにされる。スイッチ回路９７はｎチャネル型ＭＯＳＦＥＴとｐチャネル型ＭＯＳＦＥＴが並列に接続されて構成される。インバータ回路９６はスイッチ回路９７のｐチャネル型ＭＯＳＦＥＴのゲートを制御するようにされる。ホストから入力された（Ｎ−１）ライン目の画像データのＭＳＢデータをレジスタ９３で保持し、Ｎライン目の画像データのＭＳＢデータがレジスタ９４に入力された後、レジスタ９３とレジスタ９４のＭＳＢデータをデータ比較回路９５で比較する。ＭＳＢデータが一致したときは、データ比較回路９５の出力はＬｏｗレベルとなり、スイッチ回路９７はオフ状態になる。ＭＳＢデータが不一致のとき（ＭＳＢデータが０から１に変化するとき、または１から０に変化するとき）は、データ比較回路の出力はＨｉｇｈレベルとなり、スイッチ回路９７はオン状態になる。スイッチ回路９７はオン状態になると、階調電圧生成回路９２で生成された中間電位（Ｗ１２７）が端子Ｔ１に出力される。中間電位（Ｗ１２７）が端子Ｔ１に出力されるときは、スイッチ回路ＳＷ＋１はオフ状態である。また、中間電位（Ｗ１２７）が所定期間出力されると、データ比較回路９５の出力はＬｏｗレベルになり、スイッチ回路９７はオフ状態になる。スイッチ回路９７はオフ状態になると、スイッチ回路ＳＷ＋１はオン状態になり本来の階調電圧が出力される。端子Ｔ２に接続される出力バッファ１５２とスイッチ回路９７も同様に制御される。
【００３０】
ＲＧＢ時分割駆動を行う表示装置に用いられるドライバおいて、画像データを保持するメモリを搭載し、ライン間の画像データを比較し、その変化に応じて適切な中間電位を選択し出力する機能を搭載する。ＲＧＢ時分割駆動を行う場合はドライバ出力信号とドレイン線変動が１対１で対応しないため、ドライバ出力信号の変化のみでは適切な中間電位を選択できない。このため上記の方法によりドレイン線変動時に中間電位を経由することにより表示装置上から発生する電界ノイズを抑制することができる。
【００３１】
＜変形例１＞
図５Ａ、図５Ｂ、図５Ｃは、変形例１に係る駆動方法および効果を示す図である。図５Ａは、変形例に係る表示装置を示す図である。変形例１に係る表示装置１１ＡはＲＧＢ−ＳＷ回路１４ＡとドライバＩＣ１５Ａを有する。ＲＧＢ−ＳＷ回路１４ＡはＲＧＢ−ＳＷ回路をストレート配線とした場合である。ＲＧＢ−ＳＷ回路１４ＡはＲＧＢ−ＳＷ回路１４と同じスイッチ回路１４１、１４２、１４３、１４５、１４６、１４７を有するが、ドライバＩＣ１５の端子Ｔ１、Ｔ２との接続関係が異なる。すなわち、ＲＧＢ−ＳＷ回路１４Ａのスイッチ回路１４１、１４２、１４３は、ドライバＩＣ１５Ａの端子Ｔ１からの信号（Ｓ１）を伝達し、スイッチ回路１４５、１４６、１４７は、ドライバＩＣ１５の端子Ｔ２からの信号（Ｓ２）を伝達する。ドライバＩＣ１５Ａは、図４ＡのドライバＩＣ１５と同じ構成であるが、スイッチ回路ＳＷ＋１、ＳＷ＋２、ＳＷ−１、ＳＷ−２の制御が異なっている。ドライバＩＣ１５Ａの中間電位生成回路は図８の構成と同じである。
【００３２】
ピクセル市松画像およびドット市松画像のいずれも、ＲＧＢ−ＳＷ回路１４Ａが存在するため、ドライバ出力の信号（Ｓ１）は、Ｒ１＋⇒Ｇ１−⇒Ｂ１＋・・・と変化し、ドライバ出力の信号（Ｓ２）は、Ｒ２−⇒Ｇ２＋⇒Ｂ２−・・・と変化する。図５Ｂにピクセル市松、図５Ｃにドット市松時のドライバ出力波形及び電界ノイズ波形を示す。
【００３３】
図３Ｂに示されるピクセル市松画像では、Ｎライン目のＲ１は正極性（＋）の白電圧、Ｇ１は負極性（−）の白電圧、Ｂ１は正極性（＋）の白電圧である。Ｎ＋１ライン目のＲ１は正極性（＋）の黒電圧、Ｇ１は負極性（＋）の黒電圧、Ｂ１は正極性（＋）の黒電圧である。Ｎライン目のＲ２は負極性（−）の黒電圧、Ｇ２は正極性（＋）の黒電圧、Ｂ２は負極性（−）の黒電圧である。Ｎ＋１ライン目のＲ２は負極性（−）の白電圧、Ｇ２は正極性（＋）の白電圧、Ｂ２は負極性（−）の白電圧である。したがって、ピクセル市松画像では、ドライバ出力の信号（Ｓ１、Ｓ２）は図４Ｂに示されるように変化する。
【００３４】
図３Ａに示されるドットピクセル市松画像では、Ｎライン目のＲ１は正極性（＋）の白電圧、Ｇ１は負極性（−）の黒電圧、Ｂ１は正極性（＋）の白電圧である。Ｎ＋１ライン目のＲ１は正極性（＋）の黒電圧、Ｇ１は負極性（−）の黒電圧、Ｂ１は正極性（＋）の黒電圧である。Ｎライン目のＲ２は負極性（−）の黒電圧、Ｇ２は正極性（＋）の白電圧、Ｂ２は負極性（−）の黒電圧である。Ｎ＋１ライン目のＲ２は負極性（−）の白電圧、Ｇ２は正極性（＋）の黒電圧、Ｂ２は負極性（−）の白電圧である。したがって、ピクセル市松画像では、ドライバ出力の信号（Ｓ１、Ｓ２）は図４Ｃに示されるように変化する。
【００３５】
図５Ｂおよび図５Ｃに示されるように電界ノイズは、Ｒ、Ｇ、Ｂ切り替え時のタイミングで各ドレイン線がドライバ出力の信号（Ｓ１，Ｓ２）に応じて変動することにより生じる。
【００３６】
画像データの変化によりドレイン線がＬｏｗレベルからＨｉｇｈレベル、およびＨｉｇｈレベルからＬｏｗレベルに変化するときに、ドライバ出力の信号（Ｓ１、Ｓ２）が中間電位を経由するようにする。図５Ｂおよび図５Ｃに示されるように変形例１の電界ノイズは比較例２に比べて低減することができる。ここで、図５Ｂおよび図５Ｃにおいて破線で示される比較例２とは、ドライバ出力の信号（Ｓ１、Ｓ２）が中間電位を経由しない場合である。
【００３７】
実施例１および変形例１からわかるようにＲＧ−ＳＷ回路の構成によらず電界ノイズを低減するのに有効である。
【実施例２】
【００３８】
実施例２はピクセルカラム反転駆動の例であり、以下、詳細に説明する。
図６Ａ、図６Ｂ、図６Ｃは、実施例２に係る駆動方法及び効果を示す図である。図６Ａは、実施例に係る表示装置を示す図である。実施例２に係る表示装置１１ＢはＲＧＢ−ＳＷ回路１４とドライバＩＣ１５Ｂを有する。実施例２に係るＲＧＢ−ＳＷ回路１４は実施例１のＲＧＢ−ＳＷ回路１４と同じ構成である。ドライバＩＣ１５Ｂは、実施例１のドライバＩＣ１５と同じ構成であるが、スイッチ回路ＳＷ＋１、ＳＷ＋２、ＳＷ−１、ＳＷ−２の制御が異なっている。ドライバＩＣ１５Ｂの中間電位生成回路は図８の構成と同じである。
【００３９】
ピクセル市松画像およびドット市松画像のいずれも、ＲＧＢ−ＳＷ回路１４が存在するため、ドライバ出力の信号（Ｓ１）は、Ｒ１＋⇒Ｇ２−⇒Ｂ１＋・・・と変化し、ドライバ出力の信号（Ｓ２）は、Ｒ２−⇒Ｇ１＋⇒Ｂ２−・・・と変化する。図６Ｂにピクセル市松、図６Ｃにドット市松時のドライバ出力波形及び電界ノイズ波形を示す。
【００４０】
図３Ｂに示されるピクセル市松画像では、Ｎライン目のＲ１は正極性（＋）の白電圧、Ｇ２は負極性（−）の黒電圧、Ｂ１は正極性（＋）の白電圧である。Ｎ＋１ライン目のＲ１は正極性（＋）の黒電圧、Ｇ２は負極性（＋）の白電圧、Ｂ１は正極性（＋）の黒電圧である。Ｎライン目のＲ２は負極性（−）の黒電圧、Ｇ１は正極性（＋）の白電圧、Ｂ２は負極性（−）の黒電圧である。Ｎ＋１ライン目のＲ２は負極性（−）の白電圧、Ｇ１は正極性（＋）の黒電圧、Ｂ２は負極性（−）の白電圧である。したがって、ピクセル市松画像では、ドライバ出力の信号（Ｓ１、Ｓ２）は図６Ｂに示されるように変化する。
【００４１】
図３Ａに示されるドットピクセル市松画像では、Ｎライン目のＲ１は正極性（＋）の白電圧、Ｇ２は負極性（−）の白電圧、Ｂ１は正極性（＋）の白電圧である。Ｎ＋１ライン目のＲ１は正極性（＋）の黒電圧、Ｇ２は負極性（−）の黒電圧、Ｂ１は正極性（＋）の黒電圧である。Ｎライン目のＲ２は負極性（−）の黒電圧、Ｇ１は正極性（＋）の黒電圧、Ｂ２は負極性（−）の黒電圧である。Ｎ＋１ライン目のＲ２は負極性（−）の白電圧、Ｇ１は正極性（＋）の白電圧、Ｂ２は負極性（−）の白電圧である。したがって、ピクセル市松画像では、ドライバ出力の信号（Ｓ１、Ｓ２）は図６Ｃに示されるように変化する。
【００４２】
図６Ｂおよび図６Ｃに示されるように電界ノイズは、Ｒ、Ｇ、Ｂ切り替え時のタイミングで各ドレイン線がドライバ出力の信号（Ｓ１，Ｓ２）に応じて変動することにより生じる。
画像データの変化によりドレイン線がＬｏｗレベルからＨｉｇｈレベル、およびＨｉｇｈレベルからＬｏｗレベルに変化するときに、ドライバ出力の信号（Ｓ１、Ｓ２）が中間電位を経由するようにする。図６Ｂおよび図６Ｃに示されるように実施例２の電界ノイズは比較例３に比べて低減することができる。ここで、図６Ｂおよび図６Ｃにおいて破線で示される比較例３とは、ドライバ出力の信号（Ｓ１、Ｓ２）が中間電位を経由しない場合である。
【００４３】
＜変形例２＞
図７Ａ、図７Ｂ、図７Ｃは、変形例２に係る駆動方法および効果を示す図である。図７Ａは、変形例に係る表示装置を示す図である。変形例２に係る表示装置１１ＣはＲＧＢ−ＳＷ回路１４ＡとドライバＩＣ１５を有する。変形例２に係るＲＧＢ−ＳＷ回路１４ＡはＲＧＢ−ＳＷをストレート配線とした場合であり、変形例１のＲＧＢ−ＳＷ回路１４Ａと同じ構成である。変形例２に係るドライバＩＣ１５は、実施例１のドライバＩＣ１５と同じ構成である。
【００４４】
ピクセル市松画像およびドット市松画像のいずれも、ＲＧＢ−ＳＷ回路１４が存在するため、ドライバ出力の信号（Ｓ１）は、Ｒ１＋⇒Ｇ１＋⇒Ｂ１＋・・・と変化し、ドライバ出力の信号（Ｓ２）は、Ｒ２−⇒Ｇ２−⇒Ｂ２−・・・と変化する。図７Ｂにピクセル市松、図７Ｃにドット市松時のドライバ出力波形及び電界ノイズ波形を示す。
【００４５】
図３Ｂに示されるピクセル市松画像では、Ｎライン目のＲ１は正極性（＋）の白電圧、Ｇ２は正極性（＋）の白電圧、Ｂ１は正極性（＋）の白電圧である。Ｎ＋１ライン目のＲ１は正極性（＋）の黒電圧、Ｇ２は正極性（＋）の黒電圧、Ｂ１は正極性（＋）の黒電圧である。Ｎライン目のＲ２は負極性（−）の黒電圧、Ｇ１は負極性（−）の黒電圧、Ｂ２は負極性（−）の黒電圧である。Ｎ＋１ライン目のＲ２は負極性（−）の白電圧、Ｇ１は負極性（−）の白電圧、Ｂ２は負極性（−）の白電圧である。したがって、ピクセル市松画像では、ドライバ出力の信号（Ｓ１、Ｓ２）は図７Ｂに示されるように変化する。
【００４６】
図３Ａに示されるドットピクセル市松画像では、Ｎライン目のＲ１は正極性（＋）の白電圧、Ｇ２は正極性（＋）の黒電圧、Ｂ１は正極性（＋）の白電圧である。Ｎ＋１ライン目のＲ１は正極性（＋）の白電圧、Ｇ２は正極性（＋）の黒電圧、Ｂ１は正極性（＋）の白電圧である。Ｎライン目のＲ２は負極性（−）の黒電圧、Ｇ１は負極性（−）の白電圧、Ｂ２は負極性（−）の黒電圧である。Ｎ＋１ライン目のＲ２は負極性（−）の白電圧、Ｇ１は負極性（−）の黒電圧、Ｂ２は負極性（−）の白電圧である。したがって、ピクセル市松画像では、ドライバ出力の信号（Ｓ１、Ｓ２）は図７Ｃに示されるように変化する。
【００４７】
図７Ｂおよび図７Ｃに示されるように電界ノイズは、Ｒ、Ｇ、Ｂ切り替え時のタイミングで各ドレイン線がドライバ出力の信号（Ｓ１，Ｓ２）に応じて変動することにより生じる。
画像データの変化によりドレイン線がＬｏｗレベルからＨｉｇｈレベル、およびＨｉｇｈレベルからＬｏｗレベルに変化するときに、ドライバ出力の信号（Ｓ１、Ｓ２）が中間電位を経由するようにする。図７Ｂおよび図７Ｃに示されるように変形例２の電界ノイズは比較例４に比べて低減することができる。ここで、図７Ｂおよび図７Ｃにおいて破線で示される比較例４とは、ドライバ出力の信号（Ｓ１、Ｓ２）が中間電位を経由しない場合である。
【００４８】
［帰線期間前後に発生する電界ノイズ］
帰線期間前後においても電界ノイズが発生する。図９は帰線期間前後で発生する電界ノイズを説明するための図である。図９（ａ）は電界ノイズの発生タイミングを示し、図９（ｂ）はその原理を示す。帰線期間ではドライバ出力はＧＮＤまたは黒電圧にされるが、表示期間の最後が負極性の白電圧（ＮｅｇａＷ２５５）である場合は、帰線期間に入るときに、ドレイン線の電圧が大きく変化する。また、表示期間の最初が正極性の白電圧（ＰｏｓｉＷ２５５）の場合は、表示期間に入るときに、ドレイン線の電圧が大きく変化する。したがって、図９（ａ）に示すような電界ノイズが発生する。なお、帰線期間の前後のそれぞれで電界ノイズが３つ発生しているが、Ｒ，Ｇ，Ｂそれぞれの電界ノイズである。
【００４９】
例えば、帰線期間でドライバがＧＮＤ出力する場合、ドレイン１は正の電圧、ドレイン２は負の電圧となっている。ＲＧＢ−ＳＷ回路１４のスイッチ回路がｎチャネル型のＴＦＴを用いたスイッチ回路である場合、Ｖｇが立ち上がると、スイッチ回路のオン電圧（Ｖｇｓ）が正極側の信号と負極側の信号で異なり、ＶｇｓＮ＞ＶｇｓＰの関係にあるため、ドレイン２が先にＧＮＤになる。この結果、正方向に大きな電界ノイズが発生する。また帰線期間から表示期間に切り替わり時にも同様な理由で負方向に電界ノイズが発生する。
【００５０】
図１０は帰線期間前後で発生する電界ノイズを低減した様子を示す図である。図１０（ａ）は帰線期間の初めの１ライン分の期間で、Ｒの白電圧が中間電位を経由してＧＮＤまたは黒電圧に変化し、次にＧの白電圧が中間電位を経由してＧＮＤまたは黒電圧に変化し、次にＢの白電圧が中間電位を経由してＧＮＤまたは黒電圧に変化するよう場合を示している。また、図１０（ａ）は帰線期間の終わりの１ライン分の期間は、ＲがＧＮＤまたは黒電圧から中間電位を経由して白電圧に変化し、次にＧがＧＮＤまたは黒電圧から中間電位を経由して白電圧に変化し、次にＢがＧＮＤまたは黒電圧から中間電位を経由して白電圧に変化するようにした場合を示している。これにより、図９で説明した電界ノイズも図４Ａ、図４Ｂ、図４Ｃで説明した方法と同様の方法で低減可能となる。
【００５１】
図１０（ｂ）は帰線期間の初めの１ライン分の期間で、Ｒの白電圧が中間電位に変化し、次にＧの白電圧が中間電位に変化し、次にＢの白電圧が中間電位に変化し、その後Ｒが中間電位からＧＮＤまたは黒電圧に変化し、次にＧが中間電位からＧＮＤまたは黒電圧に変化し、次にＢが中間電位からＧＮＤまたは黒電圧に変化するよう場合を示している。また、図１０（ｂ）は帰線期間の終わりの１ライン分の期間で、ＲがＧＮＤまたは黒電圧から中間電位に変化し、次にＧがＧＮＤまたは黒電圧から中間電位に変化し、次にＢがＧＮＤまたは黒電圧から中間電位に変化し、その後表示期間で、Ｒが中間電位から白電圧に変化し、次にＧが中間電位から白電圧に変化し、次にＢが中間電位から白電圧に変化するようにした場合を示している。帰線期間の電界ノイズに関しては、図１０（ｂ）に示したように、1ライン分中間電位に経由してもノイズレベルを低減することができる。
【００５２】
以上、本発明者によってなされた発明を実施の形態、実施例および変形例に基づき具体的に説明したが、本発明は、上記実施の形態、実施例および変形例に限定されるものではなく、種々変更可能であることはいうまでもない。
【符号の説明】
【００５３】
１１、１１Ａ、１１Ｂ、１１Ｒ・・・表示装置
１２・・・表示領域
１３Ｌ、１３Ｒ・・・ゲートスキャン回路
１４、１４Ａ・・・ＲＧＢ−ＳＷ回路
１４１、１４２、１４３、１４５、１４６、１４７・・・スイッチ回路
１５、１５Ａ、１５Ｂ、１５Ｒ・・・ドライバＩＣ
９１・・・中間電位生成回路
９２・・・階調電圧生成回路
９３、９４・・・レジスタ
９５・・・データ比較回路
９７・・・スイッチ回路
ＳＷ＋１、ＳＷ−１、ＳＷ＋２、ＳＷ−２・・・スイッチ回路
Ｔ１、Ｔ２・・・端子
【図１】
2015049437.tif 000003
【図２】
2015049437.tif 000004
【図３Ａ】
2015049437.tif 000005
【図３Ｂ】
2015049437.tif 000006
【図３Ｃ】
2015049437.tif 000007
【図３Ｄ】
2015049437.tif 000008
【図４Ａ】
2015049437.tif 000009
【図４Ｂ】
2015049437.tif 000010
【図４Ｃ】
2015049437.tif 000011
【図５Ａ】
2015049437.tif 000012
【図５Ｂ】
2015049437.tif 000013
【図５Ｃ】
2015049437.tif 000014
【図６Ａ】
2015049437.tif 000015
【図６Ｂ】
2015049437.tif 000016
【図６Ｃ】
2015049437.tif 000017
【図７Ａ】
2015049437.tif 000018
【図７Ｂ】
2015049437.tif 000019
【図７Ｃ】
2015049437.tif 000020
【図８】
2015049437.tif 000021
【図９】
2015049437.tif 000022
【図１０】
2015049437.tif 000023